【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
約４０，０００未満の重量平均分子量を有し、Ａ、Ｂおよび任意選択的なＣから誘導される、架橋可能なアクリロシランポリマー組成物であって、
（Ａ）が、前記アクリロシランポリマーの重量を基準にして約５〜７５重量％の、次の一般式
【化１】
2005520023.tif 000001
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーであり、
（Ｂ）が、前記アクリロシランポリマーの重量を基準にして約２５〜９５重量％の、アクリル酸のエステルからなる群より選択される１種または複数の重合性モノマーであり、そして、
（Ｃ）が、前記アクリロシランポリマーの重量を基準にして約０〜７０重量％の、スチレン性モノマー、メタクリル酸のエステル、およびそれらの混合物からなる群より選択される、（Ａ）および（Ｂ）以外のエチレン性不飽和共重合可能モノマーであることを特徴とする組成物。
【請求項２】
ビニルアルコキシシランモノマーを含むアクリロシランポリマーを調製するための方法であって、ＡとＢ、および任意選択的にＣを共重合させることを含み、
（Ａ）が、前記アクリロシランポリマーの重量を基準にして約５〜７５重量％の、次の一般式
【化２】
2005520023.tif 000002
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーの重合物であり、
（Ｂ）が、前記アクリロシランポリマーの重量を基準にして約２５〜９５重量％の、アクリル酸のエステルからなる群より選択されるモノマーの重合物であり、そして、
（Ｃ）が、前記アクリロシランポリマーの重量を基準にして約０〜７０重量％の、スチレン性モノマー、メタクリル酸のエステル、およびそれらの混合物からなる群より選択される、（Ａ）および（Ｂ）以外のエチレン性不飽和モノマーの重合物であることを特徴とする方法。
【請求項３】
請求項１に記載のポリマーを含むことを特徴とするコーティング組成物。
【請求項４】
約４０〜９０重量％の成膜性バインダーおよび１０〜６０重量％の有機液状ビヒクルを含むコーティング組成物であって、
前記バインダーが、
（ｉ）前記バインダーの重量を基準にして、約２０〜８０重量％のアクリロシランであって、
（Ａ）前記アクリロシランポリマーの重量を基準にして約５〜７５重量％の、次の一般式
【化３】
2005520023.tif 000003
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーの重合物、
（Ｂ）前記アクリロシランポリマーの重量を基準にして約２５〜９５重量％の、アクリル酸のエステルからなる群より選択されるモノマーの重合物、および、
（Ｃ）前記アクリロシランポリマーの重量を基準にして、約０〜７０重量％の、スチレン性モノマーおよびメタクリル酸のエステルの一方または両方から選択される、（Ａ）および（Ｂ）以外のエチレン性不飽和モノマーから選択されるモノマーの重合物、
を含み、前記ポリマーが約１，０００〜３０，０００の重量平均分子量を有しているアクリロシラン、
（ｉｉ）前記バインダーの重量を基準にして、約１０〜４０重量％の非水分散ポリマーであって、
（Ａ）約５０，０００〜５００，０００の重量平均分子量を有するマクロモレキュラーコア、および
（Ｂ）前記マクロモレキュラーコアに付着した、約１，０００〜３０，０００の重量平均分子量を有する複数のマクロモノマー鎖であって、前記マクロモノマーの重量を基準にして５〜３０重量％の、エポキシド、酸無水物、イソシアネート、シラン、酸、ヒドロキシ、アミドまたはそれらの基の任意の組合せからなる群より選択される官能基を有するエチレン性不飽和モノマーの重合物、および前記マクロモノマーの重量を基準にして約７０〜９５重量％の、架橋性官能基を有さない少なくとも１種のエチレン性不飽和モノマーの重合物を含むマクロモノマー鎖、
を含む非水分散ポリマー、および
（ｉｉｉ）前記バインダーの重量を基準にして、約１０〜７０重量％の、イソシアネートおよびメラミン架橋剤の一方または両方から選択される架橋剤、
を含むことを特徴とするコーティング組成物。
【請求項５】
請求項４に記載の組成物でコーティングされた基材。
【請求項６】
請求項４に記載の組成物でトップコートされた乗用車またはトラック。
【手続補正２】
【補正対象書類名】明細書
【補正対象項目名】００８１
【補正方法】変更
【補正の内容】
【００８１】
本発明の精神および範囲から外れることなく、本発明の組成物の成分について、各種の修正、変更、追加、置き換えが可能であることは、当業者には明らかであろう。本発明は、本明細書で説明した例示のための実施態様に限定されるものではなく、むしろ以下の請求の範囲によって定義されるべきである。
以下に、本発明の好ましい態様を示す。
１．  約４０，０００未満の重量平均分子量を有し、Ａ、Ｂおよび任意選択的なＣから誘導される、架橋可能なアクリロシランポリマー組成物であって、
（Ａ）が、前記アクリロシランポリマーの重量を基準にして約５〜７５重量％の、次の一般式
【化４】
2005520023.tif 000004
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーであり、
（Ｂ）が、前記アクリロシランポリマーの重量を基準にして約２５〜９５重量％の、アクリル酸のエステルからなる群より選択される１種または複数の重合性モノマーであり、そして、
（Ｃ）が、前記アクリロシランポリマーの重量を基準にして約０〜７０重量％の、スチレン性モノマー、メタクリル酸のエステル、およびそれらの混合物からなる群より選択される、（Ａ）および（Ｂ）以外のエチレン性不飽和共重合可能モノマーであることを特徴とする組成物。
２．  前記アクリロシランポリマーが、約２０〜１６０のヒドロキシル価と約２０未満の酸価とを有することを特徴とする１．に記載の組成物。
３．  前記アクリロシランポリマーが、（Ａ）および（Ｂ）以外のエチレン性不飽和モノマーを含まないことを特徴とする１．に記載の組成物。
４．  （Ａ）において使用される前記ビニルアルコキシシランモノマーがビニルトリメトキシシランであることを特徴とする１．に記載の組成物。
５．  ビニルアルコキシシランモノマーを含むアクリロシランポリマーを調製するための方法であって、ＡとＢ、および任意選択的にＣを共重合させることを含み、
（Ａ）が、前記アクリロシランポリマーの重量を基準にして約５〜７５重量％の、次の一般式
【化５】
2005520023.tif 000005
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーの重合物であり、
（Ｂ）が、前記アクリロシランポリマーの重量を基準にして約２５〜９５重量％の、アクリル酸のエステルからなる群より選択されるモノマーの重合物であり、そして、
（Ｃ）が、前記アクリロシランポリマーの重量を基準にして約０〜７０重量％の、スチレン性モノマー、メタクリル酸のエステル、およびそれらの混合物からなる群より選択される、（Ａ）および（Ｂ）以外のエチレン性不飽和モノマーの重合物であることを特徴とする方法。
６．  前記アクリロシランポリマーが、２０〜１６０のヒドロキシル価と２０未満の酸価とを有することを特徴とする５．に記載の方法。
７．  （Ａ）において使用される前記ビニルアルコキシシランモノマーがビニルトリメトキシシランであることを特徴とする５．に記載の方法。
８．  （Ａ）および（Ｂ）以外のエチレン性不飽和モノマーが存在しないことを特徴とする５．に記載の方法。
９．  １．に記載のポリマーを含むことを特徴とするコーティング組成物。
１０．  約４０〜９０重量％の成膜性バインダーおよび１０〜６０重量％の有機液状ビヒクルを含むコーティング組成物であって、
前記バインダーが、
（ｉ）前記バインダーの重量を基準にして、約２０〜８０重量％のアクリロシランであって、
（Ａ）前記アクリロシランポリマーの重量を基準にして約５〜７５重量％の、次の一般式
【化６】
2005520023.tif 000006
（ここでＲ１は、１〜１０個の炭素原子を有するアリールまたはアルキル基であり、Ｒ２は加水分解性基であり、ｍは０または１であり、そしてｎは０、または１〜１０の正の整数である）で表されるビニルアルコキシシランモノマーの重合物、
（Ｂ）前記アクリロシランポリマーの重量を基準にして約２５〜９５重量％の、アクリル酸のエステルからなる群より選択されるモノマーの重合物、および、
（Ｃ）前記アクリロシランポリマーの重量を基準にして、約０〜７０重量％の、スチレン性モノマーおよびメタクリル酸のエステルの一方または両方から選択される、（Ａ）および（Ｂ）以外のエチレン性不飽和モノマーから選択されるモノマーの重合物、
を含み、前記ポリマーが約１，０００〜３０，０００の重量平均分子量を有しているアクリロシラン、
（ｉｉ）前記バインダーの重量を基準にして、約１０〜４０重量％の非水分散ポリマーであって、
（Ａ）約５０，０００〜５００，０００の重量平均分子量を有するマクロモレキュラーコア、および
（Ｂ）前記マクロモレキュラーコアに付着した、約１，０００〜３０，０００の重量平均分子量を有する複数のマクロモノマー鎖であって、前記マクロモノマーの重量を基準にして５〜３０重量％の、エポキシド、酸無水物、イソシアネート、シラン、酸、ヒドロキシ、アミドまたはそれらの基の任意の組合せからなる群より選択される官能基を有するエチレン性不飽和モノマーの重合物、および前記マクロモノマーの重量を基準にして約７０〜９５重量％の、架橋性官能基を有さない少なくとも１種のエチレン性不飽和モノマーの重合物を含むマクロモノマー鎖、
を含む非水分散ポリマー、および
（ｉｉｉ）前記バインダーの重量を基準にして、約１０〜７０重量％の、イソシアネートおよびメラミン架橋剤の一方または両方から選択される架橋剤、
を含むことを特徴とするコーティング組成物。
１１．  １０．に記載の組成物でコーティングされた基材。
１２．  １０．に記載の組成物でトップコートされた乗用車またはトラック。